(57)【要約】【課題】既存のフィルタカートリッジをボウルに固定できるフィルタハウジングを提供し、濾過モジュールの設置スペースの縮小やフィルタ交換作業を容易にする。【解決手段】フィルタハウジング（２）は、マニホールド（１０）とボウル（３０）とリング（２０）とフィルタアダプタ（４０）から構成され、フィルタアダプタ（４０）は、フィルタカートリッジ（５０）の流体通路口部よりも大きなアダプタ開口をもち、ボウル（３０）の係合部とフィルタアダプタ（４０）の被係合部が係合することでフィルタカートリッジ（５０）をボウル（３０）の内部に固定する。【選択図】図３
2016002522.tif 000002
【特許請求の範囲】
【請求項１】
流体通路口部を有する液体を濾過するためのフィルタカートリッジを内部に備えるフィルタハウジングにおいて、
前記フィルタハウジングに前記液体を入出させるための少なくとも２つの接続部を有するマニホールドと、
開口部にカラー部を有し内部に前記フィルタカートリッジを収納するボウルと、
前記ボウルを前記マニホールドに着脱自在に固定するためのボウル固定体と、
前記フィルタカートリッジを前記ボウルの内部に着脱自在に固定するためのフィルタアダプタとを備え、
前記ボウルは、前記フィルタアダプタを固定するための前記ボウルの開口周辺部の内側に設けられた係合部を有し、
前記フィルタアダプタは、
前記流体通路口部よりも大きな開口を有するアダプタ開口と、
前記ボウルに設けた前記係合部と係合する被係合部と、
前記フィルタカートリッジの上部の外周部に当接して前記ボウルの所定の位置に前記フィルタカートリッジを固定するためのフィルタ固定部と、
前記液体を通過させるための１つ以上の孔を
有することを特徴とするフィルタハウジング。
【請求項２】
前記フィルタカートリッジを内部に収納した状態で前記ボウルと前記マニホールドが固定され、前記ボウルの内部の前記液体を前記ボウルの底部に配置したドレインから排出する際に、前記カラー部の外周と前記マニホールドの内面との隙間に溜まった前記液体を前記ドレインから排出するために前記カラー部に鉛直方向のスリットが設けられていることを特徴とする請求項１に記載のフィルタハウジング。
【請求項３】
前記係合部と前記被係合部はネジ部が形成され、前記係合部と前記被係合部の前記ネジ部が係合することで前記フィルタカートリッジを前記ボウルの内部に固定することを特徴とする請求項１および請求項２に記載のフィルタハウジング。
【請求項４】
前記フィルタカートリッジの底部と前記ボウルの内部の底部との隙間を調整し、前記フィルタカートリッジを前記ボウルの内部の所定の位置に配置するための調整アダプタを更に備えたことを特徴とする請求項１から請求項３のいずれかに記載のフィルタハウジング。
【請求項５】
前記調整アダプタは、前記フィルタカートリッジを載置するための載置部と、前記ボウルの内部に接触するアダプタ底部と、前記載置部と前記アダプタ底部を接続する連結部からなり、少なくとも前記載置部と前記アダプタ底部には、前記液体を通過させるための孔が１つ以上設けられていることを特徴とする請求項４に記載のフィルタハウジング。
【発明の詳細な説明】
【技術分野】
【０００１】
本発明は、食品・医療・半導体分野などにおける液体の濾過プロセスで、粒子状汚染物質等を除去するフィルタカートリッジを収容・設置するためのフィルタハウジングに関する。
【背景技術】
【０００２】
近年、膜分離技術の著しい進展にともない、膜分離技術を用いた水や薬品等の超清浄化技術が食品・医療・半導体等の分野で広く利用されている。特に、半導体製造工程においては、半導体の微細加工が進み、必要とされる水や薬液等にも非常に高いクリーン度が要求されている。
【０００３】
上記のような高純度な液体を準備するために、半導体製造工程等では、使用する液体を濾過する濾過モジュールを装置に取り付けている。このような濾過モジュールは、液体を高純度に濾過するために使用されるフィルタカートリッジと、そのフィルタカートリッジを収納するフィルタハウジングと、から構成されている。このフィルタハウジングには、フィルタハウジングに液体を供給する入口側の接続部と濾過された液体を次の工程に送るための出口側の接続部との２つの接続部を有するマニホールドと、フィルタカートリッジを収納するためのボウルと、これらを固定するためのリングと、からなるものが多く存在する。フィルタカートリッジの上部に配置された円筒上の流体通路口部にＯリングが配置され、フィルタカートリッジは、このＯリングを介してマニホールドに固定されている。
【０００４】
このような濾過モジュールのフィルタカートリッジは、濾過された液体の純度を保つために、所定の間使用した後に交換される。交換の作業では、まず、リングを緩めることでマニホールドとボウルの固定を解除し、ボウルを取り外したのち、マニホールドにフィルタカートリッジのＯリングを介して固定されているフィルタカートリッジを取りはずすことが必要である。そのため、濾過モジュールを配置する場合には、フィルタハウジングの大きさのスペースだけでなく、フィルタカートリッジが固定されたマニホールドからボウルを外すための作業スペースが必要となり、濾過モジュールの配置スペースとして広い作業スペースが必要であった。
【０００５】
そこで、フィルタカートリッジの交換の際に、フィルタカートリッジをボウル側に固定し、その後マニホールドに取り付ける濾過モジュールが開発された（たとえば、特許文献１〜３参照）。この濾過モジュールにおいては、フィルタカートリッジの上部に配置された円筒上の流体通路口部の外側の表面に２つの平行な平面を設け、この２つの平行な平面に係合するキーと呼ばれる部品を取付け、このキーをボウルの開口部のカラー部と係合させることで、フィルタカートリッジとボウルを固定している。
【０００６】
このような濾過モジュールにより、フィルタカートリッジを交換の際にマニホールドからボウルを外すことで、フィルタカートリッジもマニホールドから同時に外すことができるようになった。よって、濾過モジュールの周辺に上記説明した広い作業スペースが必要なくなり、濾過モジュールの設置の制約が少なくなり、装置を効率よく配置することができるようになった。
【先行技術文献】
【特許文献】
【０００７】
【特許文献１】特許第４２６６８３３号
【特許文献１】特許第４６６４５９６号
【特許文献２】特表２００８−５０５７６０号
【発明の概要】
【発明が解決しようとする課題】
【０００８】
前述のように、従来技術においては、キーをフィルタカートリッジに取り付け、このキーでボウルの開口部にフィルタカートリッジを固定するので、フィルタカートリッジには、キーを取り付けるための専用の構造が必要となる。そのため、汎用品のフィルタカートリッジを用いることができず、専用のフィルタカートリッジを用いることとなり、フィルタカートリッジの製造コストの上昇を招くという課題があった。また、専用形状のフィルタカートリッジであるため、他の安価なフィルタカートリッジや、望む特性のフィルタカートリッジを選択することが出来ない場合があるという課題もあった。
【０００９】
また、濾過モジュールに用いるフィルタカートリッジの上部に配置された円筒上の流体通路口部の外形形状は、ある程度決まっているが、フィルタカートリッジの大きさは千差万別である。つまり、ボウルの内部に収容可能であれば、長さの短いフィルタカートリッジも利用されている。前述のキーをフィルタカートリッジに取り付ける濾過モジュールにおいても、長さの短いフィルタカートリッジは無論取り付け可能である。しかし、フィルタカートリッジの固定は、フィルタカートリッジの上部に配置された円筒上の流体通路口部のみである。つまり、フィルタカートリッジの上部のみで固定されており、反対側の下部はフリーの状態である。そのため、濾過すべき液体の流速が非常に早い、あるいは流量が非常に大きい場合には、ボウルの中で発生する乱流により片持ち状態のフィルタカートリッジが振動し、濾過モジュールの振動や騒音が発生し、最悪フィルタカートリッジが外れてしまう可能性があるという課題があった。
【００１０】
本発明は、上記課題を解決し、既存の濾過モジュールと互換性があり、現在市場に存在する各種フィルタカートリッジをボウルに固定できる濾過モジュールを提供することを目的とする。
【課題を解決するための手段】
【００１１】
本発明は、流体通路口部を有する液体を濾過するためのフィルタカートリッジを内部に備えるフィルタハウジングにおいて、前記フィルタハウジングに前記液体を入出させるための少なくとも２つの接続部を有するマニホールドと、開口部にカラー部を有し内部に前記フィルタカートリッジを収納するボウルと、前記ボウルを前記マニフォールドに着脱自在に固定するためのボウル固定体と、前記フィルタカートリッジを前記ボウルの内部に着脱自在に固定するためのフィルタアダプタとを備え、前記ボウルは、前記フィルタアダプタを固定するための前記ボウルの開口周辺部の内側に設けられた係合部を有し、前記フィルタアダプタは、前記流体通路口部よりも大きな開口を有するアダプタ開口と、前記ボウルに設けた前記係合部と係合する被係合部と、前記フィルタカートリッジの上部の外周部に当接して前記ボウルの所定の位置に前記フィルタカートリッジを固定するためのフィルタ固定部と、前記液体を通過させるための１つ以上の孔を有することを特徴とする。
【００１２】
また、前記フィルタカートリッジを内部に収納した状態で前記ボウルと前記マニホールドが固定され、前記ボウルの内部の前記液体を前記ボウルの底部に配置したドレインから排出する際に、前記カラー部の外周と前記マニホールドの内面との隙間に溜まった前記液体を前記ドレインから排出するために前記カラー部に鉛直方向のスリットが設けられていることが好ましい。
【００１３】
さらに、前記係合部と前記被係合部はネジ部が形成され、前記係合部と前記被係合部の前記ネジ部が係合することで前記フィルタカートリッジを前記ボウルの内部に固定することが好ましい。
【００１４】
さらに、前記フィルタカートリッジの底部と前記ボウルの内部の底部との隙間を調整し、前記フィルタカートリッジを前記ボウルの内部の所定の位置に配置するための調整アダプタを更に備えたことが好ましい。
【００１５】
また、前記調整アダプタは、前記フィルタカートリッジを載置するための載置部と、前記ボウルの内部に接触するアダプタ底部と、前記載置部と前記アダプタ底部を接続する連結部からなり、少なくとも前記載置部と前記アダプタ底部には、前記液体を通過させるための孔が１つ以上設けられていることが好ましい。
【発明の効果】
【００１６】
本発明によれば、フィルタカートリッジをボウル内部に固定するために、フィルタカートリッジの交換等のための作業スペースが少なくすみ、濾過モジュールの設置スペースを必要最低限とすることができる。
【００１７】
さらに、フィルタカートリッジをボウルに固定するために、フィルタカートリッジ側に専用の構造が必要なく、汎用のフィルタカートリッジを用いることができる。そのため、汎用の市販品のフィルタカートリッジから、目的とする濾過に最も適したフィルタカートリッジを選択することが可能となり、フィルタカートリッジの選択の自由度が大きくなる。しかも、汎用品のフィルタカートリッジを用いることができるために、フィルタカートリッジの価格も安価であり、液体の濾過コストの低減がはかれる。
【００１８】
さらに、フィルタカートリッジの上部と下部の両端をボウルに固定することが可能となり、液体の流速が非常に早い、あるいは流量が非常に多い場合でも、安定した液体の濾過ができる。
【図面の簡単な説明】
【００１９】
【図１】本発明の第１実施形態に係るフィルタハウジング２を説明する図である。
【図２】本発明の第１実施形態に係るフィルタハウジング２の上面図である
【図３】本発明の第１実施形態に係るフィルタハウジング２において、図２のＡ−Ａ線に沿った断面図である。
【図４】本発明の第１実施形態に係るフィルタアダプタ４０を説明する図であり、（ａ）はフィルタアダプタの上方斜視図であり、（ｂ）は下方斜視図である。
【図５】本発明の第１実施形態に係るフィルタカートリッジ５０の断面図である。
【図６】本発明の第１実施形態に係るボウル３０の上方斜視図である。
【図７】本発明の第１実施形態に係るボウル３０の開口周辺部の拡大図である。
【図８】本発明の第１実施形態に係るボウル３０にフィルタカートリッジ５０をフィルタアダプタ４０で固定した状態を説明する上方斜視図である。
【図９】本発明の第１実施形態に係るフィルタハウジング２の図８における上部近傍の拡大断面図である。
【図１０】本発明の第１実施形態に係るフィルタハウジング２の図３におけるボウル３０とマニホールド１０の係合部分の拡大断面図である。
【図１１】本発明の第１実施形態に係る調整アダプタ６０の上方斜視図である。
【図１２】本発明の第２実施形態に係るフィルタアダプタ１００を説明する図で、ボウル３０にフィルタカートリッジ５０をフィルタアダプタ１００で固定した状態の部分を示す大断面図である。
【発明を実施するための形態】
【００２０】
［第１実施形態］
以下、本発明の第１実施形態によるフィルタカートリッジ５０について、図面を参照しながら説明する。図１は、本発明の第１実施形態に係るフィルタハウジング２を説明する図である。図２は、本発明の第１実施形態に係るフィルタハウジング２の上面図である。図３は、本発明の第１実施形態に係るフィルタハウジング２において、図２のＡ−Ａ線に沿った断面図である。図４は、本発明の第１実施形態に係るフィルタアダプタ４０を説明する図であり、（ａ）はフィルタアダプタの上方斜視図であり、（ｂ）は下方斜視図である。図５は、本発明の第１実施形態に係るフィルタカートリッジ５０の断面図である。図６は、本発明の第１実施形態に係るボウル３０の上方斜視図である。図７は、本発明の第１実施形態に係るボウル３０の開口周辺部の拡大図である。図８は、本発明の第１実施形態に係るボウル３０にフィルタカートリッジ５０をフィルタアダプタ４０で固定した状態を説明する上方斜視図である。図９は、本発明の第１実施形態に係るフィルタハウジング２の図８における上部近傍の拡大断面図である。図１０は、本発明の第１実施形態に係るフィルタハウジング２の図３におけるボウル３０とマニホールド１０の係合部分の拡大断面図である。図１１は、本発明の第１実施形態に係る調整アダプタ６０の上方斜視図である。
【００２１】
ここで、説明の便宜上、後述するボウル３０からマニホールド１０へ向かう方向（図１における上方に向かう方向）を上方向と定義し、その反対の方向を下方向と定義し、これらを合わせて上下方向と定義する。また、後述する入口側接続部１１から出口側接続部１２へと向かう方向（図１において右へ向かう方向）を右方向、その反対の方向を左方向と定義し、これらを合わせて左右方向と定義する。さらに、ボウル３０の上下方向で、ボウル３０の中心を通る軸を中心軸と定義する。
【００２２】
図１から図３に示すように、濾過モジュール１は、フィルタハウジング２とその内部に配置されたフィルタカートリッジ５０からなる。フィルタハウジング２は、入口側接続部１１と出口側接続部１２をもつマニホールド１０と、フィルタカートリッジ５０を収納するボウル３０と、フィルタカートリッジ５０をボウルに着脱自在に固定するためのフィルタアダプタ４０と調整アダプタ６０と、ボウル３０をマニホールド１０に固定するためのボウル固定体としてのリング２０から構成される。フィルタカートリッジ５０の上部をフィルタアダプタ４０で、下部を調整アダプタ６０で挟み、フィルタカートリッジ５０をボウル３０に固定する。
【００２３】
まず、フィルタアダプタ４０の構成について説明する。
【００２４】
図４にフィルタアダプタ４０を示す。フィルタアダプタ４０は、略ドーナツ状の形状をしており、その外周面には、ボウル３０に着脱自在に固定するための係合部であるねじ山４４が形成されている。また、フィルタアダプタ４０の中央部には、後述するフィルタカートリッジ５０の流体通路口部５７の大きさ（厳密には、流体通路口部５７の設けられたＯリング５６）よりも大きな開口であるアダプタ開口４１が形成されている。さらに、フィルタアダプタ４０をボウル３０にねじ込み固定する際に人間の手でも作業できるように、フィルタアダプタ４０を回転固定あるいは解除させるための４個のつまみ部４３がフィルタアダプタ４０の内面に形成されている。さらに、フィルタアダプタ４０には、濾過したい液体を通過させるための１２個の孔４２が形成されている。これらつまみ部４３と孔４２の数はこれに限定されない。
【００２５】
また、フィルタアダプタ４０の下側、つまり、フィルタカートリッジ５０側にはフィルタを固定するためのフィルタ固定部４５が形成され、このフィルタ固定部４５のフィルタ上部当接面４７には、後述するフィルタカートリッジ５０の中心とフィルタアダプタ４０のアダプタ開口４１の中心をそろえるためのフィルタ軸合せ部４６が形成されている。
【００２６】
次に、フィルタカートリッジ５０の構成について説明する。
【００２７】
図５にフィルタカートリッジ５０の一例を示す。液体を濾過するための中心部が空洞の円柱状のフィルタ５３の上下を、上部エンドキャップ５１と下部エンドキャップ５２で挟み、フィルタカートリッジ５０を構成した。上部エンドキャップ５１の上部エンドキャップ上面５４の中央部にマニホールドの出口側接続部１２と連通した出口側パイプの内面と係合し、フィルタ５３を透過した濾過された液体が通過する流体通路口部５７が形成されている。この流体通路口部５７の外面には、出口側パイプの内面と係合した際に、シール性を向上させるためのＯリング５６を上下方向に２つ所定の間隔をあけて配置させた。また、上部エンドキャップ５１には、フィルタ５３を固定するために、上部エンドキャップ上面５４の外周部に形成された上部エンドキャップ外周壁５５が設けられている。同様に下部エンドキャップにも同様な外周壁が設けられ、これらの外周壁でフィルタ５３を保持している。
【００２８】
次に、ボウル３０の構成について説明する。
【００２９】
図６と図７にボウル３０を示す。ボウル３０はフィルタカートリッジ５０を内部に収納するために、上部に開口部が形成されている。この開口部には、カラー部３４が形成されている。このカラー部３４には、スリット３５が設けられ、カラー部３４は複数の部分から構成させている。このカラー部３４の内面には、上述したフィルタアダプタ４０のねじ山４４に対応する被係合部であるねじ山３６が形成されている。また、ボウル３０の上部の外周にはボウルフランジ３１が形成され、後述するＯリング３７を受けるためのＯリング受け３３が形成されている。さらにＯリング受けの外周には、全周にわたりフランジ外周壁３２が形成されている。Ｏリング受け３３とスリット３５の底面は、同一平面で、ボウル３０の内面に向かって傾斜して構成されている。これにより、Ｏリング受け３３上の液体は、スリット３５を通り、ボウル内部に流れるようになっている。
【００３０】
次に、調整アダプタ６０の構成について説明する。
【００３１】
図１１に調整アダプタ６０を示す。調整アダプタ６０は、フィルタカートリッジ５０を載置するための載置部６１と、ボウル３０内部の底面に接触するアダプタ底部６２と、それらを連結する連結部６３から構成されている。アダプタ底部６２は必ずしもボウル３０の底面に接触する必要は無く、ボウル３０内部の途中に設けた複数の突起に接触し、その上下方向の位置が規定されれば良い。載置部６１は、フィルタカートリッジ５０の底面を支持する載置凸部６６とフィルタカートリッジ５０の底部外周よりも若干大きいな内径を有する載置部外周壁６４を有する。載置部６１に置かれたフィルタカートリッジ５０は、載置凸部６６で上下方向の位置が規定され、載値部外周壁で前後左右方向の位置が規定される。さらに、フィルタアダプタ４０と同様に、液体を通過させるための複数の孔６５が形成されている。
【００３２】
以下、フィルタカートリッジ５０の取り付け方、動作、取り外し方を図３、図８、図９を用いて説明する。
【００３３】
最初に、フィルタハウジング２へのフィルタカートリッジ５０の取り付け方について説明する。
【００３４】
まず、ボウル３０の底部にあるドレイン３８を密閉するためのドレインキャップ３９を取り付ける。
【００３５】
次に、ボウル３０の底部に調整アダプタ６０のアダプタ底部６２がボウル３０内部の底面に位置するように調整アダプタ６０を配置する。本実施形態では、ボウル３０の中に調整アダプタ６０を単に配置しただけで、両者を固定していないが、必要に応じてフック等で固定してもよい。
【００３６】
次に、フィルタカートリッジ５０を調整アダプタ６０の載置凸部６６に配置する。フィルタカートリッジ５０の下部エンドキャップ５２は、調整アダプタ６０の載置凸部６６の上面と載置部外周壁６４の内面により、その位置が規制され、フィルタカートリッジ５０は、所定の位置に配置させる。
【００３７】
次に、フィルタアダプタ４０のアダプタ開口４１が、フィルタカートリッジ５０の流体通路口部５７にくるようにフィルタアダプタ４０を配置する。アダプタ開口４１は、流体通路口部よりも大きいので、フィルタアダプタ４０をフィルタカートリッジ５０にかぶせることが可能である。その後フィルタアダプタ４０のねじ山４４（係合部）とボウル３０のねじ山３６（被係合部）を係合させるために、つまみ部４３を手で持ち回転させることで固定する。その際、フィルタカートリッジ５０の上部エンドキャップ５１の上部エンドキャップ上面５４と上部エンドキャップ外周壁５５には、フィルタアダプタ４０のフィルタ固定部４５のフィルタ上部当接面４７とフィルタ軸合せ部４６とが対向して接触する。この接触によりフィルタカートリッジ５０は、所定の位置で固定される。上述の作業により、フィルタカートリッジ５０はボウル３０の所定の位置に固定される。フィルタカートリッジ５０の長さが短い場合には、調整アダプタ６０の連結部６３を長くするか、調整アダプタ６０の上下方向の位置をずらすことで対応することが可能である。
【００３８】
次に、ボウルフランジ３１のＯリング受け３３にＯリング３７を配置し、マニホールド１０にフィルタカートリッジ５０が固定されたボウル３０を取り付ける。その際、フィルタカートリッジ５０の流体通路口部５７のＯリング５６は、マニホールド１０の出口側パイプの内面に接触しシールする。
【００３９】
最後に、ボウル固定体であるリング２０を取り付け、マニホールド１０の下部外周に設けられたねじ山にリング２０を回転させながらねじ込み、マニホールド１０とボウル３０を固定する。
【００４０】
上述したようにフィルタカートリッジ５０が取り付けられたボウル３０をマニホールド１０にリング２０で固定した濾過モジュール１は、次のように動作する。
【００４１】
まず、マニホールド１０のバルブ１５を締める。次に、マニホールド１０の入口側接続部１１より濾過したい液体を供給する。その後、マニホールド１０の出口側パイプの外側に液体が流れ、フィルタアダプタ４０の孔４２を通過してフィルタカートリッジ５０の外側に供給される。その際、調整アダプタ６０の孔６５や調整アダプタ６０とボウル３０の内面との隙間を通り、濾過したい液体が、ボウル３０内部のフィルタカートリッジ５０の外側を満たす。更に濾過したい液体が供給されると、フィルタカートリッジ５０のフィルタ５３を通過することで液体が濾過させる。濾過された液体は、フィルタカートリッジ５０の中心部を上方に移動し、流体通路口部５７よりマニホールド１０の出口側パイプに供給され、出口側パイプに連通する出口側接続部１２より濾過された液体が出て行く。この濾過された液体を所望の装置等に供給する。
【００４２】
所定の時間使用したフィルタカートリッジ５０は、交換する必要がある。以下にフィルタカートリッジ５０の取り外し方（交換方法）を説明する。
【００４３】
濾過モジュール１への液体供給を止め、バルブ１５をあける。
【００４４】
次に、ボウル３０のドレインキャップ３９を外し、ボウル３０の中に残っている液体を排出する。バルブ１５から気体がボウル３０に入りスムーズにボウル３０の液体がドレイン３８から濾過モジュール１の外部に排出される。その際、調整アダプタ６０には孔６５が設けられているので、調整アダプタ６０の載置部６１の液体もドレイン３８から排出される。
【００４５】
図１０に示すように、マニホールド１０とボウル３０の間には、嵌め合いのために、必ず隙間８０が出来てしまう。この隙間に入った液体は、ボウル３０のカラー部に設けられたスリット３５からボウル３０の内部を通りドレイン３８から排出される。その際、ボウルフランジ３１のＯリング受け３３とスリット３５の底面は、ボウル３０の内側に向かった傾斜面となっているため、Ｏリング３７の内側のＯリング受け３３条にある液体もボウル３０内部を通りドレイン３８から排出される。これにより、ボウル３０内部の液体はすべてドレイン３８から外部に排出することができる。
【００４６】
ボウル３０の内部の液体がすべて排出された後、リング２０を固定時とは逆の方向に回転させ、リングを外す。
【００４７】
その後、ボウル３０を下方向にわずかに移動させ、マニホールド１０とボウル３０を分離させる。ボウル３０には、フィルタカートリッジ５０がフィルタアダプタ４０により固定されているので、上述したフィルタカートリッジの取り付け方の逆の手順でボウル３０からフィルタカートリッジ５０を外すことが可能である。
【００４８】
その後、新しいフィルタカートリッジ５０を上述したフィルタカートリッジの取り付け方の手順に従い取り付けることで、フィルタの交換が可能である。
【００４９】
ここで、フィルタカートリッジ５０のフィルタ５３は、工業上通常使用されるどのようなものであってもよい。典型的には、フィルタは、平坦な薄膜、スパイラル形の平坦な薄膜、プリーツ形の平坦な薄膜、スパイラルプリーツ形の平坦な薄膜、中空繊維膜、スパイラル形の連続繊維デプスフィルタ媒体などのデプスフィルタ媒体、焼結金属フィルタ媒体、セラミック媒体、樹脂またはセラミックビーズなどの活性補集材料を含む粒子状媒体またはその表面に付着した液体から選択的に材料を除去するための配位子をもつ膜、アニオン樹脂、カチオン樹脂またはそれら２つの混合物などの単体のまたは膜構造に組み込まれたイオン交換媒体、およびこれらのいずれからの組み合わせであるが、これらに限定するものではない。
【００５０】
このフィルタの材質は、紙、セルロース系材料、ガラス繊維および織物、ステンレス鋼・ニッケル・クロムなどの金属およびその合金および混合物、セラミック、プラスチック、好ましくは、以下のものを含む熱可塑性材料などの濾過で通常使用するどんな材料で形成してもよい。超高分子ポリエチレンなどのポリエチレン、ポリプロピレン、ＰＶＤＦ・ＰＴＦＥ・ＰＦＡおよびその他のふっ素樹脂、ＰＣＶ、ナイロン、ポリアミド、ポリスルホン、ポリイミド、ポリカーボネート、ＰＥＴ。
【００５１】
また、ボウルやマニホールドやフィルタアダプタや調整アダプタは、濾過する液体に対して耐性があればよく、プラスチック製（好ましくは超高分子ポリエチレンを含むポリエチレン、ポリプロピレン、ＰＴＦＥ・ＰＦＡ・ＰＶＤＦおよびその他のふっ素樹脂、ポリカーボネート、ポリスルホン、ポリエーテルスルホン）、又はガラス、あるいはステンレス鋼、アルミニウム、銅、ニッケル、クロム、チタニウム、またはこれらの合金または混合物などの金属などを、その用途に応じて最適なものを選ぶことが出来る。
【００５２】
さらに、本実施形態においては、フィルタカートリッジ５０は、ボウル３のサイズに比べ小さいため、調整アダプタ６０を用いている。しかし、フィルタカートリッジ５０の長さがボウル３に配置するのにちょうど良いサイズの場合には、調整アダプタ６０がなくともよいことは言うまでもない。
【００５３】
さらに、本実施形態においては、液体の濾過プロセスでは、フィルタカートリッジ５０の外側からフィルタカートリッジの中心軸側に液体が流れ、濾過された液体が流体通路口部５７から出ていく場合について説明した。しかし、フィルタカートリッジ５０の流体通路口部５７から濾過対象の液体を供給し、フィルタカートリッジの外側に液体が流れることで濾過する場合についても同様に本発明を適応可能なことは言うまでも無い。
【００５４】
上記構成の第１実施形態に係るフィルタハウジング２によれば、以下のような効果を得ることができる。
【００５５】
フィルタカートリッジをボウル内部に固定するために、フィルタカートリッジの交換等のための作業スペースが少なくすみ、濾過モジュールの設置スペースを必要最低限とすることができる。
【００５６】
さらに、フィルタカートリッジをボウル内部に固定するために、フィルタカートリッジ側に専用の構造が必要なく、汎用のフィルタカートリッジを用いることができる。そのため、汎用の市販品のフィルタカートリッジから、目的とする濾過に最も適したフィルタカートリッジを選択することが可能となり、フィルタカートリッジの選択の自由度が大きくなる。しかも、汎用品のフィルタカートリッジを用いることができるために、フィルタカートリッジの価格も安価であり、液体の濾過コストの低減がはかれる。
【００５７】
さらに、フィルタカートリッジの上部と下部の両端をボウルに固定することが可能となり、液体の流速が非常に早い、あるいは流量が非常に多い場合でも、安定した液体の濾過ができる。
【００５８】
［第２実施形態］
次に、本発明の第２実施形態による濾過モジュール１について図１２を参照しながら説明する。図１２は、本発明の第２実施形態に係るフィルタアダプタ１００を説明する図で、ボウル３０にフィルタカートリッジ５０をフィルタアダプタ１００で固定した状態の部分を示す拡大断面図である。第２実施形態によるフィルタハウジング２は、第１実施形態のフィルタアダプタ４０のフィルタ固定部４５の形状と異なる実施形態である。これ以外の構成については、第１実施形態によるフィルタハウジング２の構成と同様であるため、第１実施形態における各構成と同様の構成については、同じ符号を付して、説明を省略する。
【００５９】
図１２と図５に示すように、フィルタカートリッジ５０をボウル３０に固定するためのフィルタアダプタ１００のフィルタ固定部４５には、フィルタ固定斜面１０１が形成されている。このフィルタ固定斜面１０１は、フィルタカートリッジ５０をボウル３０に取り付ける際に、フィルタカートリッジの上部エンドキャップ５１の外周部の肩の部分であるフィルタカートリッジ５０の上部エンドキャップ上面５４と上部エンドキャップ外周壁５５との接続部分に当接可能となるように構成した。
【００６０】
第１実施形態と同様に、フィルタアダプタ１００のアダプタ開口４１が、フィルタカートリッジ５０の流体通路口部５７にくるようにフィルタアダプタ１００を配置し、フィルタアダプタ１００のねじ山４４（係合部）とボウル３０のねじ山３６（被係合部）を係合させるために、フィルタアダプタ４０を回転させることで、フィルタアダプタ１００はボウル３０に固定させる。その際、フィルタカートリッジ５０の上部エンドキャップ５１の外周部の肩の部分がフィルタアダプタ１００のフィルタ固定部４５のフィルタ固定斜面１０１と当接する。この当接により、フィルタカートリッジ５０とボウル３０は、フィルタカートリッジ５０の中心軸とボウル３０の中心軸とが一致する所定の位置で固定される。
【００６１】
上記以外の構成部品、フィルタカートリッジ５０の取り付け・取り外し方法及び液体の濾過動作は、第１実施形態と全く同じであるので、説明を省略する。
【００６２】
上記構成の第２実施形態に係るフィルタハウジング２によれば、上述したようにフィルタカートリッジ５０の上部外周の肩部分にフィルタアダプタ１００のフィルタ固定斜面１０１が当接するので、フィルタカートリッジ５０の中心軸とボウル３０の開口部の中心軸を容易に一致させた状態で、フィルタカートリッジ５０とボウル３０を固定することができる。これにより、マニホールド１０の中央部分に形成した出口側パイプの中心軸とフィルタカートリッジ５０の中心軸が一致するので、フィルタカートリッジ５０が取付けられたボウル３０をマニホールド１０に固定する際に、フィルタカートリッジ５０の流体通路口部５７とマニホールド１０の出口側パイプの位置合せを気にせずに作業できるため、作業性向上し、取り付け時間の短縮をはかることができる。
【符号の説明】
【００６３】
１    濾過モジュール
２    フィルタハウジング
１０  マニホールド
１１  入口側接続部
１２  出口側接続部
１５  バルブ
２０  リング（ボウル固定体）
３０  ボウル
３１  ボウルフランジ
３２  フランジ外周壁
３３  Ｏリング受け
３４  カラー部
３５  スリット
３６  ねじ山（被係合部）
３７  Ｏリング
３８  ドレイン
３９  ドレインキャップ
４０、１００  フィルタアダプタ
４１  アダプタ開口
４２  孔
４３  つまみ部
４４  ねじ山（係合部）
４５  フィルタ固定部
４６  フィルタ軸合せ部
４７  フィルタ上部当接面
５０  フィルタカートリッジ
５１  上部エンドキャップ
５２  下部エンドキャップ
５３  フィルタ
５４  上部エンドキャップ上面
５５  上部エンドキャップ外周壁
５６  Ｏリング
５７  流体通路口部
６０  調整アダプタ
６１  載置部
６２  アダプタ底部
６３  連結部
６４  載置部外周壁
６５  孔
６６  載置凸部
８０  隙間
１０１  フィルタ固定斜面
【図１】
2016002522.tif 000003
【図２】
2016002522.tif 000004
【図３】
2016002522.tif 000005
【図４】
2016002522.tif 000006
【図５】
2016002522.tif 000007
【図６】
2016002522.tif 000008
【図７】
2016002522.tif 000009
【図８】
2016002522.tif 000010
【図９】
2016002522.tif 000011
【図１０】
2016002522.tif 000012
【図１１】
2016002522.tif 000013
【図１２】
2016002522.tif 000014